(57)【要約】【課題】この発明は、ユーザが多種類の映像機器の中から所望の映像機器を容易な操作で自由に制御することができ、その映像機器から得られる映像情報を表示して容易に視聴することを可能としたワイヤレス送受信装置を提供することを目的としている。【解決手段】テレビジョン放送を受信し、外部映像機器１３，１４が接続されるステーション１１から出力される映像信号を、無線によりモニタ１５に送信して映像表示する。また、外部映像機器１３，１４を制御するためのリモートコントローラ１７，１８からの操作情報を、モニタ１５が受信してステーション１１を介して外部映像機器１３，１４に送信する。【選択図】　　図１
2004140599.tif 000002
【特許請求の範囲】
【請求項１】
テレビジョン放送の受信手段を備えるとともに、外部映像機器との接続手段を備えた映像出力機器と、外部から与えられる映像信号を表示する映像表示機器とを、無線通信可能に接続するワイヤレス送受信装置であって、前記映像表示機器は、前記映像出力機器から送信される映像信号を受信して映像表示する手段を有するとともに、前記受信手段の制御に対応する第１のリモートコントローラからの操作情報と、前記外部映像機器の制御に対応する第２のリモートコントローラからの操作情報とを選択的に受信して前記映像出力機器に送信する手段を有し、
前記映像出力機器は、前記映像表示機器から送信された操作情報を受信し、前記第１のリモートコントローラからの操作情報であればその操作情報に基づいて前記受信手段を制御し、前記第２のリモートコントローラからの操作情報であればその操作情報を前記外部映像機器に送信する手段を有するとともに、前記受信手段で得られた映像信号及び前記外部映像機器から得られた映像信号を、選択的に前記映像表示機器に送信する手段を有することを特徴とするワイヤレス送受信装置。
【請求項２】
複数の外部映像機器との接続手段を備えた映像出力機器と、外部から与えられる映像信号を表示する映像表示機器とを、無線通信可能に接続するワイヤレス送受信装置であって、
前記映像表示機器は、前記映像出力機器から送信される映像信号を受信して映像表示する手段を有するとともに、前記複数の外部映像機器それぞれの制御に対応する複数のリモートコントローラからの操作情報を選択的に受信して前記映像出力機器に送信する手段を有し、
前記映像出力機器は、前記映像表示機器から送信された操作情報を受信し、該操作情報を前記複数の外部映像機器に送信する手段を有するとともに、前記複数の外部映像機器から得られた映像信号を選択的に前記映像表示機器に送信する手段を有することを特徴とするワイヤレス送受信装置。
【請求項３】
前記映像出力機器は、映像信号に圧縮処理を施して前記映像表示機器に送信する手段を有し、前記映像表示機器は、受信した映像信号に伸張処理を施して映像表示する手段を有することを特徴とする請求項１または２記載のワイヤレス送受信装置。
【請求項４】
前記映像表示機器は、前記外部映像機器との接続手段を有するとともに、前記映像出力機器から送信される映像信号と、前記外部映像機器から得られる映像信号とを選択的に映像表示する手段を有することを特徴とする請求項１または２記載のワイヤレス送受信装置。
【請求項５】
前記映像表示機器は、前記操作情報をパケットデータ形式で前記映像出力機器に送信する手段を有することを特徴とする請求項１または２記載のワイヤレス送受信装置。
【発明の詳細な説明】
【０００１】
【発明の属する技術分野】
この発明は、例えばテレビジョン放送受信機能や映像情報を入出力可能な外部機器との接続機能等を有するステーションと、このステーションで取得した映像情報を表示するモニタとの間で無線によるデータ通信を可能としたワイヤレス送受信装置の改良に関する。
【０００２】
【従来の技術】
周知のように、近年では、衛星を利用した各種の方式のテレビジョン放送が実用化されており、このようなテレビジョン放送を受信するために、例えば、ＢＳ（Ｂｒｏａｄｃａｓｔｉｎｇ　Ｓａｔｅｌｌｉｔｅ）チューナや、１１０°ＣＳ（Ｃｏｍｍｕｎｉｃａｔｉｏｎ　Ｓａｔｅｌｌｉｔｅ）チューナ等が必要となっている。
【０００３】
また、映像情報を蓄積するメディアとしても、現在では、ＶＴＲ（Ｖｉｄｅｏ　ＴａｐｅＲｅｃｏｒｄｅｒ）だけでなく、例えば、ハードディスクや、ＤＶＤ（Ｄｉｇｉｔａｌ　Ｖｅｒｓａｔｉｌｅ　Ｄｉｓｋ）のような光ディスクに対して、映像情報を記録再生するドライブ装置等が普及している。
【０００４】
このように、受信系及び蓄積系において多種類の映像機器が混在する現状を考慮した場合、次に要望されることは、ユーザが、多種類の映像機器の中から所望の映像機器を容易な操作で自由に制御することができ、その映像機器から得られる映像情報を表示して容易に視聴することを可能にすることである。
【０００５】
特許文献１として提示する特開２００２−１１２１３５号公報には、デジタルテレビジョン放送受信装置で受信したデータ放送コンテンツをモニタで表示可能にデコード処理し、アナログテレビジョン放送受信装置に送信して映像表示させる構成が開示されている。
【０００６】
しかしながら、この特許文献１には、１つのデジタルテレビジョン放送受信装置で受信したデータ放送コンテンツを、アナログテレビジョン放送受信装置に表示させる構成が開示されているだけで、多種類の映像機器で得られる映像情報を選択的に表示することについては何らの記載もなされていないものである。
【０００７】
【特許文献１】
特開２００２−１１２１３５号公報
【０００８】
【発明が解決しようとする課題】
そこで、この発明は上記事情を考慮してなされたもので、ユーザが多種類の映像機器の中から所望の映像機器を容易な操作で自由に制御することができ、その映像機器から得られる映像情報を表示して容易に視聴することを可能としたワイヤレス送受信装置を提供することを目的とする。
【０００９】
【課題を解決するための手段】
この発明に係るワイヤレス送受信装置は、テレビジョン放送の受信手段を備えるとともに、外部映像機器との接続手段を備えた映像出力機器と、外部から与えられる映像信号を表示する映像表示機器とを、無線通信可能に接続するものであって、
映像表示機器は、映像出力機器から送信される映像信号を受信して映像表示する手段を有するとともに、受信手段の制御に対応する第１のリモートコントローラからの操作情報と、外部映像機器の制御に対応する第２のリモートコントローラからの操作情報とを選択的に受信して映像出力機器に送信する手段を有し、
映像出力機器は、映像表示機器から送信された操作情報を受信し、第１のリモートコントローラからの操作情報であればその操作情報に基づいて受信手段を制御し、第２のリモートコントローラからの操作情報であればその操作情報を外部映像機器に送信する手段を有するとともに、受信手段で得られた映像信号及び外部映像機器から得られた映像信号を、選択的に映像表示機器に送信する手段を有するようにしたものである。
【００１０】
上記のような構成によれば、テレビジョン放送の受信手段や外部映像機器との接続手段を有する映像出力機器と、この映像出力機器から出力される映像信号を映像表示する映像表示機器とを別体に構成し、映像出力機器から無線により映像信号を映像表示機器に送信して映像表示を行なうようにしている。
【００１１】
このため、映像出力機器と映像表示機器とを近接させて設置する必要がなくなり、例えば、家屋内の所定の部屋に映像出力機器を設置し、映像表示機器を他の部屋に設置して映像表示を行なわせるという自由な使い方を実現することが可能となる。
【００１２】
また、外部映像機器を制御するための第２のリモートコントローラからの操作情報を、映像表示機器が受信して映像出力機器を介して外部映像機器に送信するようにしている、つまり、外部制御機器に元々付属していた第２のリモートコントローラによって、対応する外部制御機器を制御することができるので、ユーザが外部制御機器の操作を容易に行なえるようになる。
【００１３】
【発明の実施の形態】
以下、この発明の実施の形態について、図面を参照して詳細に説明する。図１は、この実施の形態で説明するワイヤレステレビジョン放送受信装置の概略を示している。
【００１４】
すなわち、図１において、符号１１は映像出力機器としてのステーションである。このステーション１１は、アンテナ１２で受信した地上波アナログテレビジョン放送信号から所望のチャンネルの信号を選局して、映像信号及び音声信号に復号化する。
【００１５】
また、このステーション１１には、複数（図示の場合は２つ）の外部映像機器１３，１４が接続可能になっている。この外部映像機器１３，１４は、例えば、ＢＳチューナ、１１０°ＣＳチューナ、ＶＴＲ、光ディスクドライブ装置等のように、映像信号及び音声信号を外部に出力可能なものである。
【００１６】
そして、このステーション１１は、テレビジョン放送信号から復号化した映像信号及び音声信号や、外部映像機器１３，１４から出力される映像信号及び音声信号等を、選択的に無線により映像表示機器であるモニタ１５に送信する。このモニタ１５は、ステーション１１から送信された映像信号及び音声信号を受信して、映像表示及び音声再生を実現する。
【００１７】
また、上記モニタ１５は、このワイヤレステレビジョン放送受信装置専用のリモートコントローラ１６、外部映像機器１３を制御するためのリモートコントローラ１７及び外部映像機器１４を制御するためのリモートコントローラ１８から送信される各操作情報を受信する。
【００１８】
そして、このモニタ１５は、各リモートコントローラ１６〜１８からの操作情報を、無線によりステーション１１に送信する。これにより、ステーション１１は、リモートコントローラ１６の操作情報に基づいてチャンネルの選局動作を実行することができる。
【００１９】
また、ステーション１１は、リモートコントローラ１７，１８の操作情報を外部映像機器１３，１４に向けて送信する。これにより、リモートコントローラ１７，１８の操作情報に基づいて、対応する外部映像機器１３，１４が制御されることになる。
【００２０】
上記したワイヤレステレビジョン放送受信装置によれば、テレビジョン放送の受信機能や外部映像機器１３，１４との接続機能を有するステーション１１と、このステーション１１で取得した映像信号及び音声信号を映像表示及び音声再生するモニタ１５とを別体に構成し、ステーション１１から無線により映像信号及び音声信号をモニタ１５に送信して、モニタ１５で映像表示及び音声再生を行なうようにしている。
【００２１】
このため、ステーション１１とモニタ１５とを近接させて設置する必要がなくなり、例えば、家屋内の所定の部屋にステーション１１を設置し、モニタ１５を他の部屋に設置して映像及び音声を視聴するという自由な使い方を実現することが可能となる。
【００２２】
また、外部映像機器１３，１４を制御するためのリモートコントローラ１７，１８からの操作情報を、モニタ１５が受信してステーション１１を介して外部映像機器１３，１４に送信するようにしている、つまり、外部制御機器１３，１４に元々付属していたリモートコントローラ１７，１８によって、対応する外部制御機器１３，１４を制御することができるので、ユーザが外部制御機器１３，１４の操作を容易に行なえるようになる。
【００２３】
図２は、上記ステーション１１及びモニタ１５の詳細を示している。まず、ステーション１１において、アンテナ１２で受信されたテレビジョン放送信号は、チューナ部１９により、選局部２０から出力される選局制御情報に基づいて、所望のチャンネルの信号が選局され、映像信号及び音声信号に復号化される。
【００２４】
このチューナ部１９で復号化された映像信号及び音声信号は、入出力切替部２１に供給される。この入出力切替部２１には、外部映像機器１３，１４から出力される映像信号及び音声信号も、それぞれ供給されるようになっている。
【００２５】
そして、この入出力切替部２１は、テレビジョン信号を復号化した映像信号及び音声信号、外部映像機器１３，１４から出力される映像信号及び音声信号等を選択的に、送信側モジュールユニット２２に出力している。この送信側モジュールユニット２２は、入力された映像信号及び音声信号を、無線による送信に適した形態に変換した後、アンテナ２３を介してモニタ１５に送信している。
【００２６】
また、モニタ１５において、ステーション１１から送信された映像信号及び音声信号は、アンテナ２４で受信され、受信側モジュールユニット２５により復調処理された後、入力切替部２６に供給される。この入力切替部２６には、外部映像機器１３，１４と同様な外部映像機器２７（ゲーム機等も含む）が接続され、その外部映像機器２７から出力される映像信号及び音声信号が供給されるようになっている。
【００２７】
そして、この入力切替部２６は、受信側モジュールユニット２５から出力された映像信号及び音声信号と、外部映像機器２７から出力される映像信号及び音声信号とを選択的に信号処理部２８に出力している。この信号処理部２８は、入力された映像信号を液晶パネル２９による表示に適した形態に変換して液晶パネル２９に出力し映像表示させるとともに、入力された音声信号を図示しないスピーカによる音声再生に適した形態に変換してスピーカに出力している。
【００２８】
上記したモニタ２５の一連の動作は、ＣＰＵ（Ｃｅｎｔｒａｌ　Ｐｒｏｃｅｓｓｉｎｇ　Ｕｎｉｔ）３０によって統括的に制御されている。このＣＰＵ３０は、各リモートコントローラ１６〜１８からの操作情報が、受光部３１及び受信側モジュールユニット２５を介して入力されることにより、その操作情報に対応するように入力切替部２６及び液晶パネル２９を制御している。
【００２９】
また、各リモートコントローラ１６〜１８からの操作情報は、受光部３１で受光され、受信側モジュールユニット２５で無線による送信に適した形態に変換された後、アンテナ２４を介してステーション１１に送信される。そして、この送信された操作情報が、ステーション１１において、アンテナ２３で受信され、送信側モジュールユニット２２により復調された後、選局部２０の制御や、発光部３２を介して外部映像機器１３，１４の制御に供される。
【００３０】
図３は、上記送信側モジュールユニット２２及び受信側モジュールユニット２５の詳細を示している。まず、送信側モジュールユニット２２において、入出力切替部２１から出力された映像信号及び音声信号は、デコーダ２２ａにより、それぞれ無線による送信に適した形態にデコード処理された後、圧縮伸張部２２ｂに供給される。
【００３１】
この圧縮伸張部２２ｂは、ＲＡＭ（Ｒａｎｄｏｍ　Ａｃｃｅｓｓ　Ｍｅｍｏｒｙ）２２ｃをワークエリアとし、入力された映像信号及び音声信号にＭＰＥＧ（Ｍｏｖｉｎｇ　Ｐｉｃｔｕｒｅ　Ｅｘｐｅｒｔｓ　Ｇｒｏｕｐ）２方式による圧縮処理を施している。そして、この圧縮伸張部２２ｂから出力された映像信号及び音声信号は、通信制御部２２ｄ、無線ユニット２２ｅ及び図３では図示しないアンテナ２３を介して、受信側モジュールユニット２５に送信される。
【００３２】
上記した送信側モジュールユニット２２の一連の動作は、ＲＯＭ（Ｒｅａｄ　Ｏｎｌｙ　Ｍｅｍｏｒｙ）２２ｆに格納された制御プログラムによって駆動されるＭＰＵ（Ｍｉｃｒｏ　Ｐｒｏｃｅｓｓｉｎｇ　Ｕｎｉｔ）２２ｇによって統括的に制御されている。
【００３３】
また、受信側モジュールユニット２５において、送信側モジュールユニット２２から送信された映像信号及び音声信号は、図３では図示しないアンテナ２４で受信された後、無線ユニット２５ａ及び通信制御部２５ｂを介して圧縮伸張部２５ｃに供給される。
【００３４】
この圧縮伸張部２５ｃは、ＲＡＭ２５ｄをワークエリアとし、入力された映像信号及び音声信号に伸張処理を施している。そして、この圧縮伸張部２５ｃから出力された映像信号及び音声信号が、エンコーダ２５ｅで復調されて、上記入力切替部２６に供給される。
【００３５】
上記した受信側モジュールユニット２５の一連の動作は、ＲＯＭ２５ｆに格納された制御プログラムによって駆動されるＭＰＵ２５ｇによって統括的に制御されている。
【００３６】
一方、上記各リモートコントローラ１６〜１８から送信された操作情報は、上記受光部３１に受光され、ＭＰＵ２５ｇ、通信制御部２５ｂ、無線ユニット２５及びアンテナ２４を介して、パケットデータ形式で送信側モジュールユニット２２に送信される。
【００３７】
また、送信側モジュールユニット２２において、受信側モジュールユニット２５から送信された操作情報は、アンテナ２３で受信された後、無線ユニット２２ｅ、通信制御部２２ｄ及びＭＰＵ２２ｇを介して、選局部２０の制御や、発光部３２の制御に供される。
【００３８】
なお、この発明は上記した実施の形態に限定されるものではなく、この外その要旨を逸脱しない範囲で種々変形して実施することができる。
【００３９】
【発明の効果】
以上詳述したようにこの発明によれば、ユーザが多種類の映像機器の中から所望の映像機器を容易な操作で自由に制御することができ、その映像機器から得られる映像情報を表示して容易に視聴することを可能としたワイヤレス送受信装置を提供することができる。
【図面の簡単な説明】
【図１】この発明の実施の形態を示すもので、ワイヤレステレビジョン放送受信装置の概略を説明するために示す図。
【図２】同実施の形態におけるステーション及びモニタの詳細を説明するために示すブロック構成図。
【図３】同実施の形態における送信側モジュールユニット及び受信側モジュールユニットの詳細を説明するために示すブロック構成図。
【符号の説明】
１１…ステーション、
１２…アンテナ、
１３，１４…外部映像機器、
１５…モニタ、
１６〜１８…リモートコントローラ、
１９…チューナ部、
２０…選局部、
２１…入出力切替部、
２２…送信側モジュールユニット、
２３，２４…アンテナ、
２５…受信側モジュールユニット、
２６…入力切替部、
２７…外部映像機器、
２８…信号処理部、
２９…液晶パネル、
３０…ＣＰＵ、
３１…受光部、
３２…発光部。
【図１】
2004140599.tif 000003
【図２】
2004140599.tif 000004
【図３】
2004140599.tif 000005